(57)【特許請求の範囲】
【請求項１】
ユーザ端末と計測サーバとＷｅｂサーバとからなる視聴効果計測システムであって、
前記ユーザ端末は、
コンテンツを配信するコンテンツ配信装置からコンテンツを受信して出力するコンテンツ出力処理と、
前記コンテンツ出力処理によりコンテンツを出力している間に、Ｗｅｂサイトへのアクセス要求を受け付け、前記計測サーバを介してＷｅｂサイトにアクセスし、Ｗｅｂサイトを閲覧可能に表示するＷｅｂサイト表示処理と、
アクセスを要求されたＷｅｂサイトを特定するＷｅｂサイト特定情報を、アクセスしたときに出力していたコンテンツを特定するコンテンツ特定情報に関連付けて、視聴情報として、前記計測サーバに送信する計測情報送信処理と、を行い、
前記計測サーバは、
前記ユーザ端末より前記Ｗｅｂサイトへのアクセス要求および視聴者情報を受信して計測情報とし、前記ＷｅｂサイトのＷｅｂサーバからの要求に応じて、リアルタイムに前記計測情報を前記ＷｅｂサイトのＷｅｂサーバに送信する処理を行う
ことを特徴とする視聴効果計測システム。
【請求項２】
請求項１に記載の視聴効果計測システムであって、
前記ユーザ端末は、
前記視聴情報に、アクセスの要因となったコンテンツの視聴を識別するための視聴ＩＤを付加して、前記計測サーバに送信し、
前記計測サーバは、
前記ユーザ端末から収集した視聴情報の中から、同一の視聴ＩＤが付加された視聴情報を、アクセスの要因となったコンテンツが同じであるとして、計測情報を生成する
ことを特徴とする視聴効果計測システム。
【請求項３】
請求項１または２に記載の視聴効果計測システムであって、
前記計測サーバは、
ユーザ情報を記憶し、
前記計測情報送信処理では、前記計測情報を、前記ユーザ情報に関連付けて、前記ＷｅｂサイトのＷｅｂサーバに送信する
ことを特徴とする視聴効果計測システム。
【請求項４】
請求項１〜３のいずれか一項に記載の視聴効果計測システムであって、
前記ユーザ端末は、
前記視聴者情報に、コンテンツ出力中にＷｅｂサイトの検索要求を行った時間を付加して、前記計測サーバに送信する
ことを特徴とする視聴効果測定システム。
【請求項５】
請求項１〜４のいずれか一項に記載の視聴効果計測システムであって、
前記計測サーバは、
所定の期間に収集した視聴情報を用いて、複数のアクセスに関する情報を含む計測情報を生成し、前記ＷｅｂサイトのＷｅｂサーバに送信する
ことを特徴とする視聴効果計測システム。
【請求項６】
請求項１〜５のいずれか一項に記載の視聴効果計測システムであって、
前記ユーザ端末は、
コンテンツを視聴可能なコンテンツ視聴装置と、
Ｗｅｂサイトを表示可能なＷｅｂ端末と、
前記コンテンツ視聴装置と前記Ｗｅｂ端末を関連付けて管理する端末制御部と、を備え、
前記端末制御部は、
前記Ｗｅｂ端末によるＷｅｂサイトの表示の際に、前記コンテンツ視聴装置で表示しているコンテンツの情報を取得し、前記視聴情報として、前記計測サーバへ送信する
ことを特徴とする視聴情報計測システム。
【請求項７】
ユーザ端末と計測サーバとＷｅｂサーバとからなる視聴効果計測システムの視聴効果計測方法であって、
前記ユーザ端末は、
コンテンツを配信するコンテンツ配信装置からコンテンツを受信して出力するコンテンツ出力処理と、
前記コンテンツ出力処理によりコンテンツを出力している間に、Ｗｅｂサイトへのアクセス要求を受け付け、前記計測サーバを介してＷｅｂサイトにアクセスし、Ｗｅｂサイトを閲覧可能に表示するＷｅｂサイト表示処理と、
アクセスを要求されたＷｅｂサイトを特定するＷｅｂサイト特定情報を、アクセスしたときに出力していたコンテンツを特定するコンテンツ特定情報に関連付けて、視聴情報として、前記計測サーバに送信する計測情報送信処理と、を行い、
前記計測サーバは、
前記ユーザ端末より前記Ｗｅｂサイトへのアクセス要求および前記視聴情報を受信して計測情報とし、前記ＷｅｂサイトのＷｅｂサーバからの要求に応じて、リアルタイムに前記計測情報を前記ＷｅｂサイトのＷｅｂサーバに送信する処理を行う
ことを特徴とする視聴効果計測システムの視聴効果計測方法。
【請求項８】
請求項７に記載の視聴効果計測システムの視聴効果計測方法であって、
前記ユーザ端末は、
前記視聴情報に、アクセスの要因となったコンテンツの視聴を識別するための視聴ＩＤを付加して、前記計測サーバに送信し、
前記計測サーバは、
前記ユーザ端末から収集した視聴情報の中から、同一の視聴ＩＤが付加された視聴情報を、アクセスの要因となったコンテンツが同じであるとして、計測情報を生成する
ことを特徴とする視聴効果計測システムの視聴効果計測方法。
【請求項９】
ユーザ端末と計測サーバとＷｅｂサーバとからなる視聴効果計測システムの計測サーバであって、
前記ユーザ端末から、
アクセスを要求されたＷｅｂサイトを特定するＷｅｂサイト特定情報を、アクセスしたときに出力していたコンテンツを特定するコンテンツ特定情報に関連付けた、視聴情報を、受信し、計測情報として、前記ＷｅｂサイトのＷｅｂサーバからの要求に応じて、リアルタイムに前記計測情報を前記ＷｅｂサイトのＷｅｂサーバに送信する処理を行う、処理部を有する
ことを特徴とする視聴効果計測システムの計測サーバ。
【請求項１０】
請求項９に記載の視聴効果計測システムの計測サーバであって、
前記ユーザ端末から、
アクセスの要因となったコンテンツの視聴を識別するための視聴ＩＤを付加された前記視聴情報を受信し、
受信した視聴情報の中から、同一の視聴ＩＤが付加された視聴情報を、アクセスの要因となったコンテンツが同じであるとして、計測情報を生成する
ことを特徴とする視聴効果計測システムの計測サーバ。
【請求項１１】
請求項９に記載の計測サーバに接続可能な端末であって、
コンテンツを配信するコンテンツ配信装置からコンテンツを受信して出力するコンテンツ出力処理部と、
前記コンテンツ出力処理によりコンテンツを出力している間に、Ｗｅｂサイトへのアクセス要求を受け付け、前記計測サーバを介してＷｅｂサイトにアクセスし、Ｗｅｂサイトを閲覧可能に表示するＷｅｂサイト表示処理部と、
アクセスを要求されたＷｅｂサイトを特定するＷｅｂサイト特定情報を、アクセスしたときに出力していたコンテンツを特定するコンテンツ特定情報に関連付けて、視聴情報として、前記計測サーバに送信する計測情報送信処理部と、を有する
ことを特徴とする端末。
【請求項１２】
請求項１１に記載の端末であって、
前記視聴情報に、アクセスの要因となったコンテンツの視聴を識別するための視聴ＩＤを付加して、前記計測サーバに送信する
ことを特徴とする端末。
【発明の詳細な説明】
【技術分野】
【０００１】
本発明は、コンテンツの視聴とWebサイトへのアクセスとの関連性を計測するための技術に関する。
【背景技術】
【０００２】
放送機器と通信機器との融合が進み、放送を受信する端末にインターネット等のネットワークへアクセスする機能が加わってきている。このような端末は、例えば特許文献１の方法により、受信した放送番組などのコンテンツを表示すると共に、そのコンテンツに関連した情報をＥＰＧ（Ｅｌｅｃｔｒｏｎｉｃ  Ｐｒｏｇｒａｍ  Ｇｕｉｄｅ）などから抽出して表示し、表示された文字列や画像等を利用者に選択させ、選択された項目に基づいてインターネットを介してＷｅｂサイトに接続し、閲覧可能に表示する。この際、どのような放送コンテンツの、どのようなシーン／広告を見て、Ｗｅｂサイトへのアクセスがなされたかを計測することができれば、Ｗｅｂサイトの運営者にとって好都合である。
【特許文献１】特開２００５−１１５７９０号公報
【発明の開示】
【発明が解決しようとする課題】
【０００３】
しかし、特許文献１の方法では、アクセス可能なＷｅｂサイトは、配信された番組に関連するＷｅｂサイトに制限されてしまう。これでは、放送コンテンツと、その放送コンテンツに基づいてユーザが閲覧したいと思ったWebサイトとの関連性を正確に求めることはできない。
【０００４】
本発明は、アクセス可能なＷｅｂサイトを制限することなく、所定のコンテンツの視聴とそれによるWebサイトへのアクセスとの関連性を計測するための技術を提供することにある。
【課題を解決するための手段】
【０００５】
上記課題を解決するために、本発明の望ましい態様の一つは、ユーザ端末と計測サーバとＷｅｂサーバとからなる視聴効果計測システムである。そして、前記 ユーザ端末は、コンテンツを配信するコンテンツ配信装置からコンテンツを受信して出力するコンテンツ出力処理と、前記コンテンツ出力処理によりコンテンツ を出力している間に、Ｗｅｂサイトへのアクセス要求を受け付け、計測サーバを介してＷｅｂサイトにアクセスし、Ｗｅｂサイトを閲覧可能に表示するＷｅｂ サイト表示処理と、アクセスを要求されたＷｅｂサイトを特定するＷｅｂサイト特定情報を、アクセスしたときに出力していたコンテンツを特定するコンテンツ 特定情報に関連付けて、視聴情報として、前記計測サーバに送信する計測情報送信処理と、を行う。前記計測サーバは、前記ユーザ端末より前記Ｗｅｂサイトへのアクセス要求および前記視聴情報を受信して計測情報とし、前記ＷｅｂサイトのＷｅｂサーバからの要求に応じて、リアルタイムに前記計測情報を前記ＷｅｂサイトのＷｅｂサーバに送信する処理を行う。
【０００６】
前記ユーザ端末は、前記視聴情報に、アクセスの要因となったコンテンツの視聴を識別するための視聴ＩＤを付加して、前記計測サーバに送信してもよい。そして、前記計測サーバは、前記ユーザ端末から収集した視聴情報の中から、同一の視聴ＩＤが付加された視聴情報を、アクセスの要因となったコンテンツが同じであるとして、計測情報を生成することができる。
【発明の効果】
【０００７】
本発明により、コンテンツの視聴とＷｅｂサイトの閲覧の関連性を計測することが可能となり、Ｗｅｂサイトやコンテンツプロバイダに提供し、有効に利用することができる。
【発明を実施するための最良の形態】
【０００８】
＜実施例１＞
図１は、実施例１における視聴効果計測システムの構成を示す図である。
【０００９】
視聴効果計測システムは、視聴効果を計測し計測情報を提供する計測サーバ１と、ユーザ端末２（２−１〜２−ｍ）と、Ｗｅｂコンテンツを提供するＷｅｂサーバ３（３−１〜３−ｎ）と、放送番組などのコンテンツ（以下、単に「コンテンツ」と呼ぶ）をユーザ端末２に対して配信する放送局（言い換えれば「コンテンツ配信装置」）４と、から構成される。
【００１０】
放送局４以外は、インターネット等のネットワーク５を介して相互に接続されている。ただし、放送局４は、配信サーバ９のように、ネットワーク５に接続した装置であってもよい。かかる場合、配信サーバ９は、ネットワーク５を介して、ユーザ端末２に対してコンテンツを配信する。
【００１１】
計測サーバ１は、ＣＰＵ（Central Processing Unit）１１と、メモリ１２と、記憶装置１３と、入出力インタフェース１４と、それらを接続するバス１５と、から構成される。入出力インタフェース１４には、表示装置と、入力装置（キーボード等）と、可搬型記憶媒体が装着されるドライブと、ネットワーク５との間のデータ転送を制御するネットワーク制御装置等と、が接続されていてもよい。
【００１２】
ＣＰＵ１１は、その機能部として、クライアント識別部１０１と、視聴情報受信部１０２と、計測情報配信部１０３と、検索要求転送部１０４と、を備える。なお、ＣＰＵ１１は、記憶装置１３からこれらの機能部１０１〜１０４を実現するためのプログラムをメモリ１２に読み込んで実行することにより、これらの機能部を計算機上に実現する。
【００１３】
そのため、記憶装置１３は、ＯＳ（Operating System）の他、これらの機能部１０１〜１０４を実現するためのプログラムが格納されている。また、記憶装置１３は、ユーザ情報テーブル１１０と、ユーザ端末情報テーブル１１１と、契約サイトテーブル１１２と、コンテンツ情報テーブル１１３と、視聴情報テーブル１１４とを格納する。
【００１４】
クライアント識別部１０１は、ユーザ端末２の会員情報として、ユーザ情報テーブル１１０及びユーザ端末情報テーブル１１１に格納される情報を管理し、ユーザ端末２−１〜２−ｍの認証等を行う。
【００１５】
視聴情報受信部１０２は、ユーザがコンテンツの視聴中に行ったＷｅｂサイトへのアクセスを特定する情報をユーザ端末２より受信し、視聴情報テーブル１１４に格納等を行う。
【００１６】
計測情報配信部１０３は、定期的に、あるいは、契約済みのＷｅｂサイトのＷｅｂサーバ３からの要求に応じて、契約済みのＷｅｂサイトのＷｅｂサーバ３に、計測情報を送信する。
【００１７】
検索要求転送部１０４は、ユーザ端末２から受信した検索要求を、送信先のＵＲＬに従ってＷｅｂサーバ３に送信する。
【００１８】
図２は、ユーザ情報テーブル１１０の一例を示す図である。ユーザ情報テーブル１１０は、ユーザごとに、ユーザの属性や特徴に関する情報（プロファイル情報）を格納する。すなわち、ユーザ情報テーブル１１０は、各レコードに、ユーザ識別情報（ＩＤ）１１００、氏名１１０１、住所１１０２、嗜好に関する情報（嗜好情報）１１０３、公開範囲種別１１０５等を格納する。公開範囲種別１１０５は、ユーザ情報テーブル１１０に格納されているユーザ情報中の、公開可能な情報の範囲を規定する。
【００１９】
図３は、ユーザ端末情報テーブル１１１の一例を示す図である。ユーザ端末情報テーブル１１１は、ユーザ端末２−１〜２−ｍを識別および認証するための情報を格納するテーブルであり、端末ごとに、端末に関する情報を格納している。すなわち、ユーザ端末情報テーブル１１１は、各レコードに、端末ＩＤ１１１０と、その端末を使用するユーザのユーザＩＤ１１１１と、公開鍵１１１２と、機器種別１１１３と、などを格納する。公開鍵１１１２は、認証に用いる鍵である。
【００２０】
図４は、契約サイトテーブル１１２の一例を示す図である。契約サイトテーブル１１２は、契約済みのＷｅｂサイトの情報を格納するテーブルであり、各レコードに、サイトＩＤ１１２０と、サイト名１１２１と、対象ドメイン１１２２と、代表者名１１２３と、公開鍵１１２４と、契約種別１１２５と、などの項目からなる。代表者名１１２３は、そのサイトを管理・運営する者の名称である。公開鍵１１２４は、認証に用いる鍵である。
【００２１】
契約種別１１２５は、Ｗｅｂサーバ３へ計測情報を送信する契約内容を示す。例えば、契約種別１１２５が「リアルタイム情報、ボリューム課金」の場合、計測サーバ１は、ユーザ端末２がＷｅｂサイトにアクセスするたびに、リアルタイムに計測情報を対応するＷｅｂサーバ３に送信する。そして、計測情報を提供した回数に応じて課金額を算出する。また、契約種別１１２５が「統計、定額」に場合、計測サーバ１は、収集した視聴情報から統計処理により計測情報を求め、求めた計測情報を、所定のタイミングで、対応するＷｅｂサーバ３に送る。そして、計測情報を提供した回数に関らず、定額（予め定めた額）を課金額として算出する。
【００２２】
図５は、コンテンツ情報テーブル１１３の一例を示す図である。コンテンツ情報テーブル１１３は、コンテンツに関する情報を格納するテーブルであり、各レコードに、コンテンツＩＤ１１３０と、コンテンツ種別１１３１と、タイトル１１３２と、概要１１３３と、キーワード１１３４と、などの項目からなる。コンテンツ種別１１３１には、「放送」、「ＶｏＤ（ビデオオンデマンド）」がある。
【００２３】
なおコンテンツＩＤは、本実施例ではＧコードなどの放送コンテンツを一意に識別する識別子である。
【００２４】
図６は、視聴情報テーブル１１４の一例を示す図である。視聴情報テーブル１１４は、ユーザ端末２からＷｅｂサーバ３へのアクセス情報と、その時視聴していたコンテンツの情報を格納するテーブルである。すなわち、Ｗｅｂサーバ３へのアクセスごとに、レコードが設けられ、各レコードには、アクセスＩＤ１１４０と、端末ＩＤ１１４１と、コンテンツ種別１１４２と、コンテンツＩＤ１１４３と、クリックポイント１１４４と、アクセスＵＲＬ１１４５と、視聴日時１１４６と、などが格納されている。アクセスＩＤ１１４０は、各アクセスを識別する識別情報である。
【００２５】
端末ＩＤ１１４１は、そのアクセスを行ったユーザ端末の端末ＩＤである。コンテンツ種別１１４２は、そのアクセスのときに視聴されていたコンテンツ（言い換えれば、「検索要求がなされたときに出力していたコンテンツ」）の種別である。コンテンツＩＤ１１４３は、そのアクセスのときに視聴されていたコンテンツのコンテンツＩＤである。
【００２６】
クリックポイント１１４４は、コンテンツが動画の場合における、コンテンツの再生開始日時を基準とした、Ｗｅｂサイトへのアクセスの時間である。したがって、静止画の場合は、クリックポイント１１４４の項目には、特に何も格納されない。アクセスＵＲＬ１１４５は、アクセス要求がされたＷｅｂサイトのＵＲＬである。
【００２７】
視聴日時１１４６は、コンテンツを視聴していた日時であり、検索要求がされた日時である。
【００２８】
尚、本実施例では、機能部１０１〜１０３は、プログラムにより実現されているが、これに限らず、ハードウェアにより実現されてもよい。
【００２９】
また、計測サーバ１の機能の各々は、１つの装置上に構築せずに、複数の装置に各処理部を分散させて実現してもよい。また、該機能の各々は、複数の企業が提供してもよい。
【００３０】
また、ＣＰＵ１１が実行するプログラムは、予めメモリ１２または記憶装置１３に格納されていてもよいし、ドライブに装着される可搬型記憶媒体を介して、他の装置からメモリ１２または記憶装置１３に格納されてもよい。更に、入出力インタフェース１４に接続される通信回線、または通信回線上を伝搬する搬送波またはデジタル信号等を介して、他の装置からメモリ１２または記憶装置１３に格納されてもよい。
【００３１】
図１に戻って説明する。本実施例ではユーザは、ユーザ端末２を用いて放送局４が配信するコンテンツを視聴し、またＷｅｂサーバ３にアクセスし、Ｗｅｂサーバ３が提供するＷｅｂサービスを利用する。すなわち、ユーザ端末２は、テレビとして機能するとともにＷｅｂブラウザとしても機能する。
【００３２】
ユーザ端末２は、その機能部として、放送番組などの放送コンテンツを視聴可能に出力するためのコンテンツ視聴部２０１と、Ｗｅｂサーバ３等のＷｅｂサイトにネットワーク５を介してアクセスし、画像や動画、テキストデータを利用するためのブラウザ２０２と、ＥＰＧ情報や動画のメタ情報を放送波やネットワーク５を介してＷｅｂサイトより取得しユーザに提供するメタ情報管理部２０３と、端末毎に固有の秘密鍵を保持し、必要に応じて計測サーバ１との間で認証処理を行う認証クライアント２０４と、コンテンツ及びＷｅｂサイトへのアクセス情報を計測サーバ１に送信する視聴情報送信部２０５と、などを備える。
【００３３】
ユーザ端末２は、受信したコンテンツを出力可能で、かつＷｅｂサイトにアクセスし表示可能なコンピュータで構成される。すなわち、ユーザ端末２は、ＣＰＵ、メモリ、記憶装置、入力装置、表示装置、入出力インタフェース等からなるコンピュータにより構成される。そして、ＣＰＵが、記憶装置に格納された所定のプログラムを実行することによって、各機能部を計算機上に実現する。なお、それらの機能は、ハードウェアにより実現されてもよい。
【００３４】
図７は、ユーザ端末２の画面構成例を示す。ユーザ端末２は、受信した放送番組などのコンテンツをコンテンツ表示エリア２１に表示すると共に、そのコンテンツに関連した情報をＥＰＧなどから抽出して関連情報表示エリア２２に表示する。さらに、ユーザ端末２は、ユーザから、ユーザ端末２に付属するコントローラ２４等を介して、選択または検索したい文字列を検索文字列入力欄２３を介して受け付ける。
【００３５】
ユーザ端末２のブラウザ２０２は、ユーザにより入力された文字列をキーとして、インターネットを利用して検索を行い、検索されたコンテンツを関連情報表示エリア２２またはコンテンツ表示エリア２１または全画面に表示できる。
【００３６】
なお、ユーザ端末２の機能の各々は、１つの装置上に構築せずに、複数の装置に各処理部を分散させて実現してもよい。
【００３７】
以下、視聴効果計測システムの動作の流れについて説明する。ここでは、インターネット接続機能と放送波受信表示機能を備えたユーザ端末２を対象とし、コンテンツ視聴中のＷｅｂサイトへのアクセス情報を計測サーバ１が収集し、計測サーバ１を運営する事業者と契約済みのＷｅｂサイトのサーバであるＷｅｂサーバ３へ視聴情報を提供する視聴情報提供サービスを例に説明する。
【００３８】
前提条件として、計測サーバ１のユーザ情報テーブル１１０と、ユーザ端末情報テーブル１１１と、契約サイトテーブル１１２と、の各情報は、既に知られている方法で登録されているものとする。また、コンテンツ情報テーブル１１３の各情報も、例えばＥＰＧなどから登録されているものとする。
【００３９】
また、ネットワーク５では、悪意のある第３者により盗聴や改竄、成りすまし等のセキュリティ上の危険を避けるため、Ｓｅｃｕｒｅ  Ｓｏｃｋｅｔ  Ｌａｙｅｒ（ＳＳＬ）等の暗号化通信技術を用いて情報の暗号化、サーバ認証を行うことが望ましい。これらのセキュリティの確保は、必要に応じて行われるものとする。
【００４０】
図８は、本実施例の視聴情報計測システムの特徴的な動作のフロー図である。かかるフローでは、計測サーバ１がユーザ端末２より視聴情報を収集し、契約済みのＷｅｂサイトのＷｅｂサーバ３ａに視聴情報を提供する。
【００４１】
なお、Ｗｅｂサーバ３には、契約済みのＷｅｂサイトのＷｅｂサーバ３ａと、契約していないＷｅｂサイトのＷｂサーバ３ｂとがあるとする。
【００４２】
ユーザ端末２のコンテンツ視聴部２０１は、コントローラ２４などからのチャンネル選択要求を受信すると（Ｓ５０１）、要求されたコンテンツの表示処理を行うと共に、既知の方法により、そのコンテンツに関連した情報を関連情報表示エリア２２に表示する（Ｓ５０２）。
【００４３】
さらに、ユーザ端末２のブラウザ２０２は、ユーザから、表示した関連情報の文字列や画像の選択を受け付けたり、ＵＲＬの直接入力を受け付けたりして、Ｗｅｂサイト上のコンテンツの検索要求を受け付ける（Ｓ５０３）。なお、文字列や画像は、ＵＲＬに紐付けされており、ブラウザ２０２は、選択された文字列や画像から検索要求の宛先であるＵＲＬを特定する。
【００４４】
そして、ユーザ端末２の視聴情報送信部２０５は、視聴情報を生成し、Ｗｅｂサーバ３への検索要求に付加する（Ｓ５０４）。
【００４５】
具体的には、視聴情報送信部２０５は、自身の端末ＩＤ（図６の視聴情報テーブル１１４の端末ＩＤ１１４１に相当する）と、検索要求を受け付けたときに表示していたコンテンツの種別（コンテンツ種別１１４２に相当する）と、そのコンテンツのコンテンツＩＤ（コンテンツＩＤ１１４３に相当する）と、コンテンツ出力中に検索要求を行った時間（クリックポイント１１４４に相当する）と、視聴日時（視聴日時１１４６に相当する）と、を含む視聴情報を生成し、検索要求に付加する。なお、検索要求には、送信先のＵＲＬが含まれているとする。
【００４６】
次に、ユーザ端末２の視聴情報送信部２０５は、Ｗｅｂサーバ３へ、検索要求を送信する（Ｓ５０５）。この際、視聴情報送信部２０５は、計測サーバ１をプロキシサーバとしてブラウザ２０２に設定することで、計測サーバ１を介してＷｅｂサーバ３への検索要求を送信する。なお、検索要求には視聴情報が付加されているので、ユーザ端末２は、検索要求とともに視聴情報を計測サーバ１に送ることになる。
【００４７】
計測サーバ１の視聴情報受信部１０２は、ユーザ端末２から、Ｗｅｂサーバ３への検索要求と、視聴情報とを受信する。このとき、クライアント識別部１０１は、既知の方法により、ユーザ端末２を識別する。
【００４８】
さらに、視聴情報受信部１０２は、視聴情報テーブル１１４に、レコードを追加する。そして、アクセスＩＤ１１４０を発行して格納し、さらに、受信した視聴情報と、検索要求に含まれるＵＲＬとを格納する（Ｓ５０６）。これにより、図６の視聴情報テーブル１１４に各情報１１４０〜１１４６が格納されたレコードが１つ追加される。
【００４９】
次に、検索要求転送部１０４は、受信した検索要求に付加されている視聴情報を削除する（Ｓ５０７）。さらに、検索要求転送部１０４は、送信先のＵＲＬ１１４５のドメインが、契約サイトテーブル１１２のいずれかのレコードの対象ドメイン１１２２と一致するか否かにより、検索要求の送信先のＷｅｂサーバ３が契約サイトのＷｅｂサーバ３ａか否かを判定する（Ｓ５０８）。
【００５０】
検索要求の送信先のＷｅｂサーバ３が契約サイトのＷｅｂサーバ３ａではない場合（Ｓ５０８でＮ）、検索要求転送部１０４は、検索要求を、ＵＲＬ１１４５に従って、非契約サイトのＷｅｂサーバ３ｂに送信する（Ｓ５１７）。かかる場合、ＵＲＬに対応する非契約サイトのＷｅｂサーバ３ｂは、検索要求を受信して（Ｓ５１８）、対応するＷｅｂ画面をユーザ端末２に送信する（Ｓ５１９）。
【００５１】
一方、検索要求の送信先のＷｅｂサーバ３が契約サイトのＷｅｂサーバ３ａの場合（Ｓ５０８でＹ）、検索要求転送部１０４は、検索要求にアクセスＩＤ１１４０を付加する（Ｓ５０９）。そして、検索要求転送部１０４は、アクセスＩＤを付加した検索要求を、ＵＲＬ１１４５に従って、契約サイトのＷｅｂサーバ３ａに送信する（Ｓ５１０）。
【００５２】
ＵＲＬに対応する契約サイトのＷｅｂサーバ３ａは、検索要求を受信すると（Ｓ５１１）、検索要求よりアクセスＩＤ１１４０を取得し、計測サーバ１に対して、アクセスＩＤ１１４０をキーとして計測情報を要求する（Ｓ５１２）。
【００５３】
計測サーバ１は、計測情報の送信要求を受信し（Ｓ５１３）、既知の方法により要求元のＷｅｂサーバ３ａを認証する。そして、計測情報配信部１０３は、アクセスＩＤ１１４０をキーに、視聴情報テーブル１１４より、対応する視聴情報を取得し、さらにコンテンツ情報テーブル１１３、ユーザ端末情報テーブル１１１、及びユーザ情報テーブル１１０より、視聴していたコンテンツの情報および視聴していたユーザの情報を取得し、計測情報として、Ｗｅｂサーバ３ａに返信する（ステップ５１４）。
【００５４】
詳述すると、計測情報配信部１０３は、ます、視聴情報テーブル１１４から、アクセスＩＤ１１４０をキーとして、対応する視聴情報が格納されたレコードを特定し、特定したレコードに格納されたコンテンツＩＤ１１４３を特定する。そして、コンテンツ情報テーブル１１３から、特定したコンテンツＩＤ１１４３と同一のコンテンツＩＤ１１３０が格納されたレコードを特定し、特定したレコードの情報から、ユーザが検索要求時に視聴していたコンテンツの情報（コンテンツ種別１１３１、タイトル１１３２、概要１１３３、キーワード１１３４）を取得する。
【００５５】
また、計測情報配信部１０３は、視聴情報テーブル１１４から特定したレコードに格納されている端末ＩＤ１１４１と、端末ＩＤ１１１０が同一であるレコードを、ユーザ端末情報テーブル１１２から特定する。そして、特定したレコードからユーザＩＤ１１１１を特定し、ユーザ情報テーブル１１０を参照して、対応するユーザの情報（氏名１１０１、住所１１０２、嗜好情報１１０３）を取得する。
【００５６】
ただし、ユーザに関する情報は、ユーザが事前に計測サーバ１に対して公開を許可している情報に限られる。すなわち、計測情報配信部１０３は、ユーザの情報として、公開種別１１０５に規定されている情報のみを取得するようにする。例えば、公開種別１１０５に、「嗜好情報のみ」が規定されている場合、計測情報配信部１０３は、氏名１１０１、住所１１０２等は取得せずに、嗜好情報１１０３のみを取得する。
【００５７】
図９は、こうして取得した計測情報３０の一例を示す。
【００５８】
Ｗｅｂサーバ３は、計測情報３０を受信すると（ステップ５１５）、受信した計測情報３０を元に、ユーザに最適なＷｅｂ画面を生成し、ユーザ端末２に送信する（ステップ５１６）。
【００５９】
例えば、Ｗｅｂサーバ３は、予め、自身の記憶装置に、嗜好（旅行、料理、サッカーなど）ごとのＷｅｂ画面を記憶している。そして、計測情報３０に含まれる、嗜好情報に対応するＷｅｂ画面を、記憶装置から読み込み、ユーザ端末２に送信する。
【００６０】
ユーザ端末２は、こうして検索要求に対応するＷｅｂ画面を受信し（Ｓ５２０）、表示装置に表示する。以降、ユーザがＷｅｂ画面のリンクアイコンを選択するなどし、次の画面を要求した場合（ステップ５２１）、ユーザ端末２の視聴情報送信部２０５は、Ｓ５０４に戻り、再び視聴情報を付加して、検索要求を計測サーバ１に送信する（ステップ５０５）。
【００６１】
なお、視聴コンテンツのチャンネルが変更された場合、ユーザ端末２は、Ｓ５０１から処理を再スタートする。
【００６２】
また、新たなＵＲＬを指定する検索要求がなされた場合、ユーザ端末は、Ｓ５０３から処理を再スタートする。
【００６３】
以上に示したように、本実施例によれば、ユーザがコンテンツを視聴中のＷｅｂサイトへのアクセス情報を計測サーバ１が収集し、Ｗｅｂサイトが計測サーバ１を運営する事業者と契約済みのＷｅｂサイトである場合、そのＷｅｂサイトのＷｅｂサーバ３ａへ視聴計測情報を提供することができる。したがって、契約済みのＷｅｂサーバ３ａでは、ユーザ毎にカスタマイズされた最適な画面を、ユーザ端末に表示させることができ、計測情報（視聴情報）を有効に利用することができる。
【００６４】
また、計測サーバ１が一定期間の計測情報を集計し、統計情報としてＷｅｂサーバ３に提供することも可能である。
【００６５】
なお、Ｓ５０８において、検索要求転送部１０４は、さらに、契約種別１１２５が「リアルタイムに情報を提供する契約」か否かを判定してもよい。かかる判定は、契約サイトテーブル１１２の中の、送信先のＵＲＬ１１４５とドメインが同一のレコードに格納されている契約種別１１２５が、「リアルタイム情報」であるか否かにより行う。そして、リアルタイムに情報を提供する契約の場合にのみ、上述のＳ５０９以降の処理により、計測情報配信部１０３は、リアルタイムに計測情報を提供する。一方、リアルタイムに情報を提供する契約ではない場合、計測情報配信部１０３は、所定の期間の計測情報を纏めてＷｅｂサーバ３に送る。
【００６６】
例えば、一定期間（例えば１週間）に特定のＷｅｂサーバ３ａへアクセスした時に視聴していたコンテンツとして何が多かったかといった統計情報を提供する場合は、次のようにすればよい。計測情報配信部１０３は、視聴情報テーブル１１４のデータの中で視聴日時１１４６が所定の期間内で、かつＵＲＬ１１４５が当該Ｗｅｂサーバ３のＵＲＬであるレコードを抽出する。そして、抽出したレコードの数を求め、統計情報とする。
【００６７】
また、実施例１では、ユーザの嗜好情報１１０３として、予めユーザが登録した嗜好情報を使用している。しかし、本発明はこれに限定されない。計測サーバ１またはＷｅｂサーバ３を運用する事業者が、ユーザの視聴情報を用い、ユーザの嗜好情報１１０３を自動生成および自動更新するようにしても良い。
【００６８】
例えば、計測サーバ１は、予め、嗜好カテゴリ（例えば「旅行」）と、嗜好カテゴリに関連するキーワード（例えば「世界遺産、北海道、知床半島」）とを関連付けた「嗜好カテゴリテーブル」を保持している。そして、計測情報配信部１０３は、一定期間（例えば１週間）のユーザ毎の視聴したコンテンツのコンテンツＩＤ１１４３を、ユーザ情報テーブル１１０、ユーザ端末情報テーブル１１１、及び視聴情報テーブル１１４を用いて検索する。次に、視聴されたコンテンツのコンテンツＩＤ１１４３を基に、コンテンツ情報テーブル１１３より、視聴されたコンテンツのキーワード１１３４を取得する。最後に「嗜好カテゴリテーブル」を参照して、視聴されたコンテンツのキーワード１１３４の嗜好カテゴリを特定し、ユーザ毎に、特定された嗜好カテゴリの出現回数を計算する。そして、出現回数が最も多かった嗜好カテゴリを、そのユーザの嗜好情報１１０３として、ユーザ情報テーブル１１０に格納し更新する。
【００６９】
なお、ユーザの嗜好情報の生成処理は、計測サーバ１が行ってもよいし、Ｗｅｂサーバ３が行ってもよい。
【００７０】
＜実施例２＞
上記の実施例１では、Ｗｅｂサイトへのアクセスの度に、その時視聴していたコンテンツの情報を計測サーバ１へ送信していたが、幾つかのＷｅｂ画面やＷｅｂサイトを閲覧している間に別のコンテンツが表示されてしまっているケースがある。その場合、視聴していたコンテンツとその後の一連のＷｅｂサイトの閲覧を関連付ける必要がある。そこで実施例２では、視聴していたコンテンツとその後の一連のＷｅｂサイトの閲覧を「視聴ＩＤ」により関連付ける方法について説明する。
【００７１】
実施例２における基本的な視聴効果計測システムの構成は、実施例１の構成（図１）と同様である。ただし、計測サーバ１は、視聴情報テーブル１１４の代わりに、図１０に示す視聴情報テーブル１１５と、図１１に示すＷｅｂアクセステーブル１１６とを格納する。
【００７２】
図１０の視聴情報テーブル１１５では、実施例１の視聴情報テーブル１１４に比べて、ＵＲＬ１１４５が削除されている。また、Ｗｅｂアクセステーブル１１６は、アクセスＩＤ１１６０、視聴ＩＤ１１６１、端末ＩＤ１１６２、ＵＲＬ１１６３、日時１１６４などの情報が１つのレコードに格納されるテーブルである。すなわち、一つの視聴ＩＤ１１６１に対して複数のＷｅｂサイトへのアクセス情報（ＵＲＬ１１６３）が格納される。
【００７３】
以下、実施例２に係る、視聴効果計測システムの動作の流れについて説明する。前提条件は実施例１と同様である。
【００７４】
図１２に実施例２に係るフロー図を示す。
【００７５】
チャンネル選択（Ｓ５０１）から検索要求受信（Ｓ５０３）までの処理は上述の実施例１と同様である。
【００７６】
検索要求を受信したユーザ端末２は、視聴ＩＤを発行し、視聴情報と共に検索要求に付加する（Ｓ５０４’）。
【００７７】
ここで、視聴ＩＤは、コンテンツの視聴中の一連のＷｅｂサイトへのアクセスを識別するためのＩＤで、通し番号や十分長いランダム文字列などから成る。また、視聴ＩＤは、有効期間が設定されており、前回のＷｅｂサイトへのアクセスから所定の有効期間（例えば、５分）が過ぎると無効となり、新たに発行し直すものとする。また、有効期間内であっても、視聴コンテンツのチャンネルが変更され、Ｓ５０１から処理が再スタートした場合や、新たなＵＲＬを指定する検索要求がなされ、Ｓ５０３から処理が再スタートした場合は、ユーザが見ているコンテンツまたはシーンが異なるとして、新たに視聴ＩＤを発行する。
【００７８】
次に、ユーザ端末２の視聴情報送信部２０５は、視聴ＩＤと視聴情報とを付加した検索要求をＷｅｂサーバ３へ送信する（Ｓ５０５’）。実施例１と同様に、計測サーバ１をプロキシサーバとしてブラウザ２０２に設定することで、計測サーバ１を介して、Ｗｅｂサーバ３への検索要求を送信する。
【００７９】
計測サーバ１の視聴情報受信部１０２は、ユーザ端末２から、視聴ＩＤと視聴情報とを付加した、Ｗｅｂサーバ３への検索要求を受信する。このとき、クライアント識別部１０１は、既知の方法により、ユーザ端末２を識別する。
【００８０】
さらに、視聴情報受信部１０２は、視聴情報テーブル１１５及びＷｅｂアクセステーブル１１６に、それぞれ、レコードを１つ追加する（図１０、図１１参照）。そして、アクセスＩＤ１１５０、１１６０を発行して、それぞれ格納し、さらに、受信した視聴情報と、視聴ＩＤと、検索要求に含まれるＵＲＬとを格納する（Ｓ５０６’）。
【００８１】
以降の処理Ｓ５０７〜５２１は、基本的に実施例１と同様である。
【００８２】
ただし、Ｓ５１４における、計測情報の生成、送信の方法が少し異なる。Ｓ５１４では、Ｗｅｂサイトへのアクセスの起因となったコンテンツを特定し、計測情報を生成する。なぜなら、ユーザの検索要求のきっかけとなったコンテンツが、今回のアクセス要求の時点において既に表示されておらず、無関係のコンテンツが表示されている場合があるからである。
【００８３】
具体的には、計測情報配信部１０３は、Ｓ５１４において、まず、Ｗｅｂアクセステーブル１１６の中から、Ｗｅｂサーバ３ａからの計測情報要求で指定されたアクセスＩＤのレコードを特定する。そして、そのレコードに格納された視聴ＩＤ１１６１を特定して、さらに、Ｗｅｂアクセステーブル１１６から、特定した視聴ＩＤ１１６１と同一の視聴ＩＤのレコードを抽出する。さらに、抽出したレコードのうち、日時１１６４が最も早いレコードを抽出し、そのレコードのアクセスＩＤ１１６０を特定する。そして、視聴情報テーブル１１５から、そのアクセスＩＤ１１６０に対応するレコードを特定する。かかる特定されたレコードが、一連のサイトへのアクセスの要因となった、最初に検索要求が出された時点で表示されていたコンテンツのレコードのはずである。
【００８４】
そして、計測情報配信部１０３は、図１３に示すように、計測情報３１に、アクセスの要因となった「視聴コンテンツ」として、上記で特定したレコードの視聴情報（コンテンツ種別１１５２、コンテンツＩＤ１１５３、クリックポイント１１５４、視聴日時１１５６）を含める。一方、「ユーザ情報（ユーザプロファイル）」として、特定されたレコードの端末ＩＤ１１５１から、上記実施例１と同様に、特定されるユーザ情報を含める。
【００８５】
また、計測情報配信部１０３は、Ｗｅｂアクセステーブル１１６から抽出された視聴ＩＤが同一の複数のレコードから、これまでにアクセスした複数のＷｅｂサイトのＵＲＬ１１６３を特定し、「動線情報」として計測情報３１に含めることができる。
【００８６】
ユーザ端末２は、次ページの要求を受け付けた場合（Ｓ５２１）、同一のコンテンツ視聴中のＷｅｂサイトへのアクセスとして、Ｓ５０５’に遷移し、前回と同一の視聴ＩＤを検索要求に付加して、計測サーバ１に送信する。これにより、一連のＷｅｂサイトへのアクセスとして処理することができる。
【００８７】
以上、実施例２について説明した。本実施例によれば、視聴していたコンテンツとその後の一連のＷｅｂサイトの閲覧とを関連付けて管理する。したがって、より正確に、視聴コンテンツとＷｅｂサイトへのアクセスとの関係を計測し、利用することができる。
【００８８】
＜実施例３＞
実施例１および実施例２では、ユーザ側の端末が、コンテンツ視聴端末とＷｅｂ視聴端末の２つの機能を同時に果たす例を示した。これに対して、実施例３では、ユーザ側のシステムとして、コンテンツ視聴端末とＷｅｂ視聴端末とが別個に存在する場合について説明する。
【００８９】
実施例３では、Ｗｅｂ端末がコンテンツ視聴端末を関連付けておき、Ｗｅｂ端末に視聴中のコンテンツに関連する情報を表示するケースについて説明する。また、実施例３では、計測サーバ１がプロキシサーバとしてユーザ端末２からＷｅｂサーバ３への検索要求を中継するのではなく、セットトップボックスがＷｅｂ端末８からＷｅｂサーバ３への検索要求を中継すると同時に、計測サーバ１へ視聴情報を送信する例を示す。
【００９０】
図１４は、実施例３における視聴効果計測システムのユーザ端末側の構成を示す。その他の構成（計測サーバ１、Ｗｅｂサーバ３、放送局４、配信サーバ９等）は、図１の実施例１の構成と同じである。
【００９１】
ユーザ端末２’は、セットトップボックス６と、ＴＶ端末などのコンテンツ視聴端末７と、パーソナルコンピュータ（以下ＰＣと呼ぶ）や携帯端末などのＷｅｂ端末８と、から構成される。
【００９２】
なお、実施例３においても、コンテンツは、放送局４から配信されてもよいし、ネットワーク５に接続された配信サーバ９からセットトップボックス６を介してコンテンツ視聴端末７に配信されてもよい。以下では、配信サーバ９からコンテンツが配信される場合を例に説明する。
【００９３】
配信サーバ９は、計測サーバ１と同じ事業者が運営してもよいし、Ｗｅｂサイトと同じ事業者が運営してもよいし、別の事業者が運営してもよい。
【００９４】
また、セットトップボックス６は、ネットワーク５に接続されている。さらに、コンテンツ視聴端末７と、セットトップボックス６と、Ｗｅｂ端末８と、セットトップボックス６とは、映像専用線やＬＡＮ（Ｌｏｃａｌ  Ａｒｅａ  Ｎｅｔｗｏｒｋ）によりそれぞれ接続されている。
【００９５】
セットトップボックス６、コンテンツ視聴端末７、及びＷｅｂ端末８の構成は、記憶装置内のプログラムが異なる以外は、計測サーバ１と同様の構成とすることができる。そして、ＣＰＵが、各装置が備えるプログラムを実行することによって、各装置が提供する機能を計算機上に実現する。また、それらの機能は、ハードウェアにより実現されてもよい。
【００９６】
セットトップボックス６は、実施例１にて記載のメタ情報管理部２０３、認証クライアント２０４、視聴情報送信部２０５と同様の機能部を備える。さらに、セットトップボックス６は、コンテンツ視聴端末７とＷｅｂ端末８との関連情報を管理する端末制御部２０６と、ユーザの要求に応じてコンテンツ配信サーバ９からコンテンツを受信し、コンテンツ視聴端末にコンテンツを送信するコンテンツ受配信部２０７と、検索要求の転送を行う検索要求転送部２０８とを備える。
【００９７】
コンテンツ視聴端末７は、実施例１と同様に、コンテンツ視聴部２０１を備える。
【００９８】
Ｗｅｂ端末８は、実施例１と同様に、ブラウザ２０２を備える。
【００９９】
以下、実施例３に係る、視聴効果計測システムのフローについて説明する。前提条件は実施例１と同様である。図１５に実施例３に係るフロー図を示す。
【０１００】
まず、Ｗｅｂ端末８のブラウザ２０２は、セットトップボックス６に対して、コンテンツ視聴端末７との関連付け要求を行う（Ｓ４０１）。この要求を受付けたセットトップボックス６の端末制御部２０６は、関連付け情報を登録する（Ｓ４０２）。この関連付け処理は、例えばＳＩＰ（Ｓｅｓｓｉｏｎ  Ｉｎｉｔｉａｔｉｏｎ  Ｐｒｏｔｏｃｏｌ）を用いた複数端末を関連付ける既知の方法により行われるものとする。
【０１０１】
次に、セットトップボックス６のコンテンツ受配信部２０７は、コントローラ２４などを介してユーザから、コンテンツの表示要求を受付けると、配信サーバ９よりコンテンツを受信し、コンテンツ視聴端末７に対してコンテンツを送信し表示させる（Ｓ４０３）。さらに、実施例１記載のＳ５０２と同様に、視聴中のコンテンツに関連した情報を生成し、コンテンツ視聴端末７とＷｅｂ端末８との関連付け情報を用い、関連付けられているＷｅｂ視聴端末８に、関連情報を送信する（Ｓ４０４）。
【０１０２】
これを受けて、Ｗｅｂ端末８は、関連情報を表示する（Ｓ５０２）。
【０１０３】
次に、Ｗｅｂ端末８は、実施例１記載のＳ５０３と同様に、ユーザからＷｅｂサイトのＷｅｂサーバ３への検索要求を受付けると（Ｓ５０３）、Ｗｅｂサーバ３へ検索要求を送信する（Ｓ５０５）。ただし、実施例１または２と異なり、ブラウザ２０２の設定でプロキシサーバをセットトップボックスとすることで、Ｗｅｂサーバ３へのリクエストを、セットトップボックス６を介して送信する。
【０１０４】
Ｗｅｂサーバ３への検索要求を受信したセットトップボックス６の検索要求転送部２０８は、視聴情報と検索要求のＵＲＬを計測サーバ１に送信する（Ｓ５０５ａ）。
【０１０５】
計測サーバ１の視聴情報受信部１０２は、視聴情報と検索要求のＵＲＬ情報とを受信し、実施例１記載のＳ５０６と同様に、アクセスＩＤ１１４０を生成し、視聴情報テーブル１１４に情報を格納する（Ｓ５０６）。
【０１０６】
次に、視聴情報受信部１０２は、検索要求の宛先ＵＲＬのドメインが、契約しているＷｅｂサイトのドメインか否かを判定し、その判定結果およびアクセスＩＤ１１４０をセットトップボックス６に返信する（Ｓ５０６ａ）。
【０１０７】
次に、セットトップボックス６の検索要求転送部２０８は、実施例１でのＳ５０８から５１０と同様に、送信先のＷｅｂサーバ３が契約サイトのＷｅｂサーバ３ａか否かを判定し（Ｓ５０８）、契約サイトのＷｅｂサーバ３ａの場合は、アクセス１１４０を検索要求に付加し（Ｓ５０９）、Ｗｅｂサーバ３に検索を送信する（Ｓ５１０）。一方、送信先のＷｅｂサーバ３が契約サイトのＷｅｂサーバ３ａでない合は、実施例１と同様に、Ｓ５１７以降の処理となる。
【０１０８】
以降の処理Ｓ５２０、Ｓ５２１は、実施例１でのＳ５２０、Ｓ５２１と同様である。
【０１０９】
以上、実施例３について説明した。以上に示したように、コンテンツ視聴端末とＷｅｂ視聴端末が異なる場合についても、ユーザがコンテンツ視聴中のＷｅｂサイトへのアクセス情報を計測サーバ１が収集し、有効に利用することができる。
【図面の簡単な説明】
【０１１０】
【図１】実施例１に係る視聴効果計測システムの構成図。
【図２】ユーザ情報テーブルの一例を示す図。
【図３】ユーザ端末情報テーブルの一例を示す図。
【図４】契約サイトテーブルの一例を示す図。
【図５】コンテンツ情報テーブルの一例を示す図。
【図６】視聴情報テーブルの一例を示す図。
【図７】実施例１に係る画面構成の一例を示す図。
【図８】実施例１に係る視聴効果計測処理のフロー図。
【図９】実施例１に係る計測情報の一例を示す図。
【図１０】視聴情報テーブルの一例を示す図。
【図１１】Ｗｅｂアクセステーブルの一例を示す図。
【図１２】実施例２に係る視聴効果計測処理のフロー図。
【図１３】実施例２に係る計測情報の一例を示す図。
【図１４】実施例３に係る視聴効果計測システムの構成図（ユーザ端末側）。
【図１５】実施例３に係る視聴効果計測処理のフロー図。
【符号の説明】
【０１１１】
１…計測サーバ、２…ユーザ端末、３…Ｗｅｂサーバ、４…放送局、５…ネットワーク、６…セットトップボックス、７…コンテンツ視聴端末、８…Ｗｅｂ端末、９…配信サーバ、１１…CPU、１２…メモリ、１３…記憶装置、１４…入出力インタフェース、１５…バス
【図１】
0004759560.tif 000002
【図２】
0004759560.tif 000003
【図３】
0004759560.tif 000004
【図４】
0004759560.tif 000005
【図５】
0004759560.tif 000006
【図６】
0004759560.tif 000007
【図７】
0004759560.tif 000008
【図８】
0004759560.tif 000009
【図９】
0004759560.tif 000010
【図１０】
0004759560.tif 000011
【図１１】
0004759560.tif 000012
【図１２】
0004759560.tif 000013
【図１３】
0004759560.tif 000014
【図１４】
0004759560.tif 000015
【図１５】
0004759560.tif 000016